(57)【要約】【課題】段ボールなどの厚紙を廃棄のために、紐で締結する際に、運搬しても紐が外れることなく、容易に締結する厚紙締結器具を提供する。【解決手段】厚紙に穿孔を穿つと同時に締結用の紐を穿孔にひき通す厚紙穿孔具と厚紙を下部から支持する支持台からなり、厚紙穿孔具にはハンドル部とハンドル部両端から延伸する穿孔部と、穿孔部の先端に厚紙に穿孔を穿つための尖頭部を設けて尖頭部の近辺に締結用の紐を把持する把持部を設けた。【選択図】図１
0003205286.tif 000002
【実用新案登録請求の範囲】
【請求項１】
重ねた厚紙を締結する厚紙締結器具であって、穿孔を設けると同時に締結用の紐を穿孔に通す厚紙穿孔具と、
前記厚紙穿孔具により厚紙に穿孔を穿つ際に、厚紙を下部より支持する支持台より構成され、
前記厚紙穿孔具は、厚紙に穿孔を設ける際に力を加える、ハンドル部と、
ハンドルの両端からハンドルと直角方向に延伸する穿孔部と、
ハンドル部より延伸する前記穿孔部の先端に、厚紙に穿孔部を陥入させるための尖頭部と、尖頭部の近辺に締結用の紐を把持する把持部を設けた厚紙締結器具。
【請求項２】
前記支持台は、前記厚紙穿孔具の穿孔部より長い深さを有する凹部を有する、箱型形状よりなる、厚紙締結器具
【請求項３】
前記支持台は、平板上面に前記厚紙穿孔具を摺動自在に支持する摺動支持柱を備え、摺動支持柱と前記厚紙穿孔具はバネにより連結される請求項１の厚紙穿孔器具
【考案の詳細な説明】
【技術分野】
【０００１】
本考案は、段ボール等、廃棄する際に重ねた厚紙を締結する器具に関するものである。
【背景技術】
【０００２】
従来、梱包用の厚紙を廃棄する際には、収集の要請から複数の厚紙を重ねて、ひもで十字型に縛るなど自治体により廃棄ルールが定められていた。
【０００３】
しかし、梱包用厚紙は折り目がつけられており、ひもで縛った場合に折り目部分で折れ曲がるなどにより、ひもの張力を十分にかけることができず、運搬の際に紐が外れる欠点があった。
【０００４】
また梱包用厚紙にひもをかける際には、ひもを表裏に巻き回す必要があり、手間を要していた。
重ねた梱包用厚紙を粘着性のテープで固定する方法もあるが、再生の際にパルプにテープ材が混入し、再生紙の品質が低下する懸念があった。
【０００５】
かかる問題の解決手段として。特開２０１３−１２９４５０号公報に開示される発明がある。該発明は梱包用厚紙の締結に関する本考案と共通の課題を解決しようとするものであるが、段ボール箱縛り紐通し具を用いて段ボールに設けた穿孔に紐を通した後に、本体からグリップを外す必要があり、依然として使い勝手の悪いものであった。
【先行技術文献】
【特許文献】
【０００６】
【特許文献１】特開２０１３−１２９４５０号公報
【０００７】
【考案の概要】
【考案が解決しようとする課題】
【０００８】
段ボールなど梱包用厚紙を複数重ねて廃棄する際に、運搬の際に紐が外れることなく、容易に締結を可能とする厚紙締結器具を提供する。
【課題を解決するための手段】
【０００９】
本考案は、重ねた厚紙を締結する厚紙締結器具であって、厚紙に穿孔を設けて、穿孔を設けると同時に締結用の紐を通す、厚紙穿孔具と、
厚紙穿孔具により厚紙に穿孔を穿つ際に、厚紙を下部より支持する支持台より構成され、
厚紙穿孔具は、厚紙に穿孔を設ける際に力を加える、ハンドル部と、
ハンドル部の両端からハンドルと直角方向に延伸する穿孔部と、
ハンドル部より延伸する穿孔部の先端に、厚紙に穿孔部を陥入させるための尖頭部と、尖頭部の近辺に締結用の紐を把持する把持部を設け、
支持台は、厚紙穿孔具の穿孔部より長い深さの、凹部を有する箱型形状よりなり、厚紙穿孔具を厚紙に陥入させた際に、厚紙より突出する穿孔部を凹部内に収納することを特徴とする。
さらに厚紙穿孔具を陥入させた後に、把持部に把持される締結用の紐を左右反対側の把持部に掛け替えた後に、厚紙穿孔具を上部に引き上げることにより、締結用紐を、二重に引き回し、強固に締結することができる。
かかる構成により、把持部に把持する締結用の紐を、厚紙に設けた穿孔に容易にひき通し、締結することを可能とする。
【考案の効果】
【００１０】
本考案によれば、重ねた厚紙を容易に紐で締結することができ、運搬の際に紐が外れることなく強固に固定することができる。
また支持台を備えることにより、厚紙に厚紙穿孔具を陥入させる際に穿孔部により床等を傷つけることがない。
さらに支持台の凹部には、厚紙穿孔具および締結用の紐を収納することができ、厚紙締結に必要な器具を一式、コンパクトに整理することができる。
【図面の簡単な説明】
【００１１】
【図１】図１は厚紙締結器具の外観図である。（実施例１）
【図２】図２は厚紙締結器具を用いて厚紙を締結する方法の説明図である。
【図３】図３は厚紙締結器具の別実施例の外観図である（実施例２）
【考案を実施するための形態】
【００１２】
【実施例１】
【００１３】
図１は、本考案にかかる厚紙締結器具の外観図である。
【００１４】
図１に示す厚紙穿孔器具１は、厚紙に穿孔を設ける際に、手で握って下方に力を加えるハンドル部３と、ハンドル部両端よりハンドル部と直角下方に延伸する、穿孔部４と、穿孔部４の先端に厚紙に穿孔を穿つ尖頭部５を備え、尖頭部５の近傍に、締結用の紐を握持する握持部６を設ける。尖頭部には、厚紙に陥入させる際の陥入力を低下させるために、刃を設けても良い。握持部６は穿孔部の長手方向と直角に溝を設ける。締結用の紐を溝の開放部より溝の奥側に移動させて、溝部に引っ掛け把持させる。把持部は、尖頭部の近辺に透孔を設けて、紐をひき通すようにしても良い。
支持台２は、厚紙に穿孔を穿つ際に、厚紙を下方より支持し、厚紙穿孔具を厚紙に陥入させた際に厚紙下面より突出した穿孔部を収容する凹部を有する。凹部は厚紙穿孔具の穿孔部より長い深さとすることにより、厚紙より下方に突出する穿孔部が支持台底部（図示せず）と干渉しないより構成される。
【００１５】
図２（ａ）〜（ｄ）は厚紙締結器具の使用方法を説明する図である。図２（ａ）では、支持台２の上に厚紙を載せ、厚紙穿孔器具１の握持部６に締結用の紐８を渡し、引っ掛け把持させて、ハンドル部３を握って下方に降下させている状態を示している。
図２（ｂ）では、厚紙穿孔具１が厚紙に陥入するとともに、握持部６に握持された紐８が、厚紙に穿たれた陥入孔より厚紙下面に挿通した状態を示している。厚紙穿孔具１の穿孔部４が厚紙下面より突出しているが、支持台２の凹部７の深さが、穿孔部の長さより大きいため、穿孔部により支持台底部を傷つけることがない。
図２（ｃ）は把持部６に把持されている紐を、厚紙下面側に引っ張って陥入孔から抜き取り、把持部６から外して、左右各々反対側の把持部に再び把持させた状態を示している。
図２（ｄ）は厚紙穿孔具１を厚紙の陥入孔から上方に引き抜くとともに、把持部に把持された紐が、陥入孔から引き出された状態を示している。この状態で厚紙上面に引き出された紐を方結びにする等固定することにより、厚紙は紐で二重に引き回し、強固に締結される。
【００１６】
【実施例２】
【００１７】
図３は厚紙締結器具の実施例２の外観図である。実施例２において実施例１と異なる点は、支持台２が平板１０と、摺動支持柱１１で構成され、摺動支持柱１１に摺動長孔１４及び摺動ピン１２を設けていることと、厚紙穿孔具１に摺動ピンと嵌合する、摺動溝１３を設けていることと、厚紙穿孔具１と支持台２を摺動バネ１５により連結している点である。
厚紙穿孔器具１は、摺動支持柱１１の摺動長孔１４と摺動溝１３と嵌合する摺動ピン１２により摺動自在に支持され、ハンドル部３に力を加えない状態においては、摺動バネ１５の弾発力により、支持台２の上方に保持される。
ハンドル部に下方の力を加えると、厚紙穿孔具１は摺動バネ１５を圧縮しながら摺動溝に沿って下降して厚紙に穿孔部を陥入させる。
かかる構造により、安定した力を加えることが可能となり、より多く重ねた厚紙に容易に厚紙穿孔具を陥入させることができる。
また厚紙穿孔器具１を厚紙に陥入させた状態では、厚紙の摩擦力により厚紙穿孔具が陥入した状態に保持されることから、締結用の紐を左右の把持部から反対の把持部に掛け替える操作が容易となり、実施例１に比べて締結の操作が容易となる。
【００１８】
【符号の説明】
【００１９】
１    厚紙穿孔器具
２    支持台
３    ハンドル部
４    穿孔部
５    尖頭部
６    把持部
７    凹部
８    紐
９    厚紙
１０  平板
１１  摺動支持柱
１２  摺動ピン
１３  摺動溝
１４  摺動長孔
１５  摺動バネ
【図１】
0003205286.tif 000003
【図２】
0003205286.tif 000004
【図３】
0003205286.tif 000005
【手続補正書】
【提出日】平成28年6月10日(2016.6.10)
【手続補正１】
【補正対象書類名】図面
【補正対象項目名】全図
【補正方法】変更
【補正の内容】
【図１】
0003205286.tif 000006
【図２】
0003205286.tif 000007
【図３】
0003205286.tif 000008